(57)【特許請求の範囲】
【請求項１】
物品に据え付け可能な固定デバイスにおいて、
前記固定デバイスは、
ガイド構造を備える本体と、
前記物品を前記固定デバイスに締結するために前記ガイド構造に対して動くことができる締結構成と、
締結位置と非締結位置との間で前記ガイド構造に対して前記締結構成を付勢するように動作可能な付勢構成と、ここにおいて、前記ガイド構造は、前記締結構成を前記締結位置にガイドするように構成され、
前記締結構成が前記締結位置に動かされるときに、前記付勢構成によって、非表示状態から表示状態に動くことができるインジケータと、ここにおいて、前記本体は、前記インジケータが前記非表示状態から前記表示状態に動くことができる空間を規定し、
前記空間にわたって拡張するウェブと、ここにおいて、前記インジケータが前記表示状態であるとき、前記インジケータは前記ウェブを通して伸長する、
を備える固定デバイス。
【請求項２】
前記付勢構成は、駆動構成と付勢部材とを備え、前記駆動構成は、前記付勢部材を駆動するように動作可能であり、
前記付勢部材は、前記駆動構成が前記付勢部材を駆動するときに、前記締結構成を前記非締結位置から前記締結位置に付勢するように、前記付勢部材が前記締結構成を係合する、請求項１に記載の固定デバイス。
【請求項３】
前記駆動構成は、駆動部材を備え、前記付勢部材は、前記駆動部材上に据え付けられている、請求項２に記載の固定デバイス。
【請求項４】
前記付勢部材は、前記駆動部材を収容し、その結果、前記締結構成は、前記付勢部材上に設置される、請求項３に記載の固定デバイス。
【請求項５】
前記駆動部材は、細長いねじ部材を備え、前記駆動構成は、前記駆動部材に螺合されているナットをさらに含み、前記ナットは、前記駆動部材によって駆動されるように構成されている、請求項３または４に記載の固定デバイス。
【請求項６】
前記インジケータは、前記空間に沿って動くことができる表示部材を備え、前記表示部材は、前記インジケータが前記表示状態であるときに、前記ウェブを通して伸長する、請求項１ないし５のうちのいずれか一項に記載の固定デバイス。
【請求項７】
前記インジケータが前記表示状態に動かされるときに、前記表示部材が前記ウェブを破る、請求項６に記載の固定デバイス。
【請求項８】
前記表示部材は、前記付勢部材上に設けられる、請求項６または７に記載の固定デバイス。
【請求項９】
前記締結構成は、前記締結位置と前記非締結位置との間で動くことができる弾性締結部材を備え、締結部材が締結位置にあるときに、前記締結部材は、前記物品を係合するように構成されている、請求項１から８のうちのいずれか一項に記載の固定デバイス。
【請求項１０】
前記本体は、前記締結部材と整列した少なくとも１つの外側に拡張する部分を含み、それにより、前記締結構成が前記締結位置にあるときに、前記物品は、前記締結部材と前記少なくとも１つの外側に拡張する部分との間で把持されることができる、請求項９に記載の固定デバイス。
【請求項１１】
前記少なくとも１つの外側に拡張する部分は、放射状に外側に拡張するフランジを備える、請求項１０に記載の固定デバイス。
【請求項１２】
前記締結部材は、実質的にＶまたはＵ字形である、請求項９、１０、または１１に記載の固定デバイス。
【請求項１３】
前記締結部材は、対向端部を有し、前記対向端部のそれぞれは、前記締結部材が前記締結位置に動かされるときに、前記ガイド構造によって対向する側の方向の外側に付勢される、請求項９〜１２のうちいずれか一項に記載の固定デバイス。
【請求項１４】
前記ガイド構造は、前記締結部材の端部を係合するための対向する傾斜部を有し、そして、
前記締結部材が前記締結位置に動くときに、前記締結部材は、前記ガイド構造に沿ってスライドする、請求項１３に記載の固定デバイス。
【請求項１５】
前記本体上に、前記物品を保持するための少なくとも１つの保持要素を備え、
前記少なくとも１つの保持要素は、前記物品のエッジ領域を収容するための凹部を規定する、請求項１〜１４のうちのいずれか一項記載の固定デバイス。
【請求項１６】
前記少なくとも１つの保持要素は、前記物品の前記エッジ領域を収容することができるスナップフィット要素を備える、請求項１５に記載の固定デバイス。
【請求項１７】
穴の周りの前記エッジ領域により係合すると、前記保持要素が非変形状態から変形できるように、前記保持要素は変形可能であり、前記保持要素は、前記エッジ領域が前記凹部中に収容されたときに、前記非変形状態に戻る、請求項１５または１６に記載の固定デバイス。
【請求項１８】
前記物品のエッジ領域を係合するための少なくとも１つの係合構造をさらに含み、前記少なくとも１つの係合構造は、前記エッジ領域との摩擦係合をもたらすように前記本体から突出している、請求項１〜１７のうちのいずれか一項に記載の固定デバイス。
【請求項１９】
前記締結構成が前記締結位置に動く際に支援するための締付け部材を備え、前記締付け部材は、締結部材の端部と整列して前記ガイド構造上に配置される、請求項１〜１８のうちのいずれか一項に記載の固定デバイス。
【請求項２０】
請求項１〜１９のうちのいずれか一項に記載の固定デバイスと前記固定デバイスが据え付けられている据え付けデバイスとを備える、吊り具部品。
【発明の詳細な説明】
【技術分野】
【０００１】
本発明は、固定デバイスに関連する。本発明はまた、固定デバイスを使用する方法に関連する。
【背景技術】
【０００２】
物品の開口部に収容される固定デバイスを介して、ランプのような物品をケーブルのような支持体に取り付けることが必要であることが多い。そのようにするために、物品内へのアクセスが要求されるかもしれない。固定デバイスがいつ物品に完全に固定されたかを知ることは、難しいことが多い。
【発明の概要】
【０００３】
本発明のある態様にしたがうと、物品上に据え付け可能な固定デバイスが提供され、固定デバイスは、ガイド構造と、物品を固定デバイスに締結するための、ガイド構造に対して動かせる締結構成と、締結位置と非締結位置との間で締結構成をガイド構造に対して付勢するように動作可能な付勢構成とを備え、ガイド構造は、締結構成を締結位置にガイドするように構成されている。
【０００４】
本発明の別の態様にしたがうと、物品に据え付け可能な固定デバイスが提供され、固定デバイスは、ガイド構造と、物品を固定デバイスに締結するための、ガイド構造に対して動かせる締結構成と、締結位置と非締結位置との間で締結構成をガイド構造に対して付勢するように動作可能な付勢構成と、締結構成が締結位置に動かされるときに、付勢構成によって、非表示状態から表示状態に動かせるインジケータとを備え、ガイド構造は、締結構成を締結位置にガイドするように構成されている。
【０００５】
ここで説明する実施形態は、固定デバイスを物品に固定するための動作が、物品の外部で行われるという利点を提供する。
【０００６】
締結構成は、締結位置と非締結位置との間で動かせる締結部材を備えていてよい。締結部材は弾性であってよい。締結部材は、実質的にＶ字形またはＵ字形であってよい。締結部材が締結位置にあるときに、締結部材は物品を係合できる。
【０００７】
締結部材は、フレア部を有していてよく、フレア部は、締結部材を締結位置に動かすときに、ガイド構造によって外向きに付勢されてよい。
【０００８】
締結部材は、対向するフレア部を有していてよく、対向するフレア部のそれぞれは、締結部材を締結位置に動かすときに、ガイド構造によって外方に付勢されてよい。対向するフレア部は、対向する方向の外側に付勢されてよい。
【０００９】
ガイド構造は、締結部材のフレア部を係合するために、対向する傾斜部を有していてよい。締結部材を締結位置に動かすときに、締結部材はガイド構造に沿ってスライドしてよい。
【００１０】
固定デバイスは、本体を備えていてよい。本体は、ガイド構造を備えていてよい。
【００１１】
締結部材は、締結構成を締結位置に動かす際に、支援するために設けられてよい。締付け部材は、締結部材のフレア部と並べてガイド構造上に設けられてよい。
【００１２】
固定デバイスは、ガイド構造から拡張するウェブを含んでいてよい。本体は、前記インジケータを非表示状態から表示状態に動かすときに、インジケータが動くことができる空間を規定してよい。本体は、ガイド構造にわたって拡張する側壁を含んでいてよい。空間は、側壁とガイド構造との間に規定されてよい。本体は、１組の対向する側壁を備えていてよい。側壁とガイド構造との間に２つの空間を規定してよい。
【００１３】
ウェブは、空間にわたって拡張してよい。インジケータは、インジケータが表示状態であるときに、ウェブを通して伸長してよい。インジケータは、インジケータが表示状態にあるときに、ウェブを通して伸長できる表示部材を備えていてよい。表示部材は、インジケータが表示状態にあるときに、ウェブを破ってよい。
【００１４】
インジケータは、２つの表示部材を備えていてよい。本体は、２つの空間を規定してよく、２つの空間のそれぞれに沿って、表示部材のそれぞれ１つが動くことができる。それぞれのウェブは、空間のそれぞれを越えて拡張してよい。
【００１５】
当該または各表示部材は、プロング（prong）を備えていてよい。当該または各プロングは、インジケータが表示状態に動かされたときに、ウェブを破ってよい。
【００１６】
固定デバイスは、ガイド構造の両側に構成されてよい、１組のウェブを備えていてよい。インジケータが表示状態にあるときに、インジケータは当該または各ウェブを通して伸長してよい。インジケータが表示状態に動かされたときに、インジケータはウェブを破ってよい。
【００１７】
本体は、外側に拡張する部分を含んでいてよく、この部分は、当該または各ウェブから拡張してよい。外側に拡張する部分は、物品のエッジ領域を係合してよい。
【００１８】
前記エッジ領域は、締結部材と外側に拡張する部分との間に把持されてよい。当該または各外側に拡張する部分は、放射状に外側に拡張するフランジを備えていてよい。
【００１９】
前記エッジ領域は、物品の穴の周囲のエッジ領域であってよい。したがって、物品は、穴を規定することができ、エッジ領域は、穴の周囲に設けられる。
【００２０】
インジケータは、１組の表示部材を備えていてよく、各表示部材は、インジケータが表示状態にあるときに、ウェブのそれぞれ１つを通して伸長してよい。表示部材のそれぞれは、インジケータが表示状態に動かされたときに、それぞれのウェブを破ってよい。
【００２１】
表示部材、または、表示部材のそれぞれは、プロングを備えていてよい。固定デバイスは本体を備えていてよく、本体は、ガイド構造を含んでいてよい。本体は、さらに、ウェブを含んでいてよい。ウェブは、本体のカバー部を備えていてよい。カバー部は、頂部を備えていてよい。
【００２２】
インジケータは、当該または各表示部材をサポートするためのサポート部を備えていてよい。サポート部は付勢部材であってよい。代替的に、サポート部は付勢部材上に配置されてよい。
【００２３】
付勢構成は、駆動構成と付勢部材とを備え、駆動構成は、付勢部材を駆動するように動作可能である。付勢部材は、駆動構成が付勢部材を駆動するときに、付勢部材が締結構成を非締結位置から締結位置に付勢できるように、締結構成を係合してよい。
【００２４】
駆動構成は、駆動部材を備えていてよい。付勢部材は、駆動部材上に据え付けられてよい。付勢部材は、それを通じて駆動部材を収容してよい。
【００２５】
締結構成は、付勢部材上に設置されてよい。駆動部材は細長くてよい。
【００２６】
駆動部材は、ねじ部材を備えていてよい。ねじ部材は、細長くてよく、雄ねじであってよい。
【００２７】
駆動構成は、駆動部材に螺合されている雌ねじ部材をさらに含んでいてよく、雌ねじ部材は、駆動部材によって駆動されるように構成されている。雌ねじ部材は、ナットを備えていてよい。
【００２８】
駆動部材は、付勢部材を駆動するように回転してよい。雌ねじ部材がそのように駆動されるときに、雌ねじ部材が付勢部材を駆動するように、付勢部材は雌ねじ部材上に設けられてよい。
【００２９】
固定デバイスの１つの実施形態は、物品を保持するために、少なくとも１つの保持要素を本体上に備えていてよい。固定デバイスは、物品を保持するために、複数の保持要素を本体上に備えていてよい。
【００３０】
当該または各保持要素は、物品のエッジ領域を収容するための凹部を規定してよい。エッジ領域は、穴の周囲の前述のエッジ領域であってよい。
【００３１】
当該または各保持要素は、前記エッジ領域を収容できるスナップフィット要素を備えていてよい。
【００３２】
保持要素は、変形可能であってよく、前記エッジ領域により係合すると、保持要素が非変形状態から変形できるようにする。保持要素は、前記エッジ領域が凹部中に収容されるときに、前記非変形状態に戻ってよい。
【００３３】
固定デバイスは、エッジ領域を係合するための少なくとも１つの係合構造をさらに含んでいてよい。当該または各係合構造は、本体から突出してよい。
【００３４】
したがって、ここで説明する実施形態では、当該または各係合構造は、物品を係合して、前述のエッジ領域との摩擦係合をもたらすことができる。これは、ここで説明する実施形態に、当該または各係合構造が穴の周囲のエッジ領域を摩擦係合するという点で利点をもたらし、これにより、付勢部材を駆動するために駆動部材が回転するので、本体の回転を制限する。
【００３５】
本発明のさらに別の態様にしたがうと、上記で説明したような固定デバイスと、固定デバイスが据え付けられている据え付けデバイスとを備える吊り具部品が提供される。
【００３６】
据え付けデバイスは、クランプアセンブリを備えていてよい。クランプアセンブリは、ワイヤ、ワイヤロープ、またはケーブルのような、細長いアイテムをクランプするためのクランプ部材を含んでいてよい。代替的に、据え付けデバイスは、フックまたは把持構成を備えていてよい。
【００３７】
添付の図面を参照して、本発明の実施形態を単なる例としてこれから説明する。
【図面の簡単な説明】
【００３８】
【図１】図１は、非表示状態にあるインジケータを有する、固定デバイスの第１の実施形態を組み込んだ吊り具部品の斜視図である。
【図２】図２は、非表示状態にあるインジケータを示す、図１中に示した吊り具部品の平面図である。
【図３】図３は、表示状態にあるインジケータを有する、図１中に示した吊り具部品の斜視図である。
【図４】図４は、表示状態にあるインジケータを有する、図１中に示した吊り具部品の平面図である。
【図５】図５は、図２中の線Ｖ−Ｖに沿った図である。
【図６】図６は、図４中の線ＶＩ−ＶＩに沿った図である。
【図７】図７は、図２中の線ＶＩＩ−ＶＩＩに沿った図である。
【図８】図８は、図４中の線ＶＩＩＩ−ＶＩＩＩに沿った図である。
【図９】図９は、非表示状態にあるインジケータを有する、固定デバイスの第２の実施形態を組み込んだ吊り具部品の、図１に類似した図である。
【図１０】図１０は、表示状態にあるインジケータを有する、図９中に示した吊り具部品の、図３に類似した図である。
【図１１】図１１は、図９に示した吊り具部品の、図７に類似した図である。
【図１２】図１２は、図１０に示した吊り具部品の、図８に類似した図である。
【図１３】図１３は、固定デバイスの第２の実施形態の一部である保持要素の拡大図である。
【図１４Ａ】図１４Ａは、非圧縮状態での係合構造を示す、固定デバイスの第２の実施形態の一部である係合構造の拡大図である。
【図１４Ｂ】図１４Ｂは、物体を係合する圧縮状態での係合構造を示す、図１４に類似した拡大図である。
【００３９】
図面の図１から図８は、クランプアセンブリ１２０の形態の据え付けデバイスを備える吊り具部品１００を示している。吊り具部品は、クランプアセンブリ１２０に取り付けられている固定デバイス１０をさらに含んでいる。
【発明を実施するための形態】
【００４０】
吊り具部品１００は、クランプアセンブリ１２０によってクランプされたケーブルによって、建物の屋根から照明装置のような物品１１０（図５〜図８参照）を吊るすのに適している。固定デバイス１０は、物品１１０の上部部材１１６中に規定される穴１１２中に収容され、穴１１２の周囲の上部部材１１６のエッジ領域１１４において、物品１１０に固定される。
【００４１】
このような適切なクランプアセンブリは、英国特許明細書番号第ＧＢ２５０９８０７号に記載されている。固定デバイス１０は、フックまたは把持構成のような、固定デバイス１０に取り付けることができる、他の何らかの適切な据え付けデバイス上に据え付けることができると認識すべきである。
【００４２】
固定デバイス１０の第１の実施形態は、図１から図８中に示されており、ガイド構造１４を有する本体１２と、ガイド構造１４をわたって拡張する頂部１６とを備えている。
【００４３】
ガイド構造１４は、実質的に、１組の対向する傾斜側１５Ａ面（図７参照）と、下方に、実質的にふつうは頂部１６に拡張する、１組の遠い側面１５Ｂ（図６および図７参照）とを有する、実質的な矩形形状である。１組の側壁１７は、頂部１６から下方に拡張する。
【００４４】
各側壁１７は、遠い側面１５Ｂのそれぞれ１つに隣接して構成され、その間に空間１７Ａを規定する（図５および図６参照）。カバー部は、空間１７Ａのそれぞれの上に拡張するそれぞれのウェブ１７Ｂを含んでいる（図５参照）。１７の空間の目的を以下で説明する。傾斜側１５Ａは、以下でも説明するように、ガイドトラックを提供する。
【００４５】
固定デバイス１０は、実質的にＵ字形のばねの形態の弾性締結部材２０を備える締結構成１８をさらに含んでいる。締結部材２０は、２つの対向するフレア部２２と、中央部２４とを有している。各フレア部２２は、物品１１０の上部部材１１６の下側１１６Ａを係合するために、外側に拡張する先端部２２Ａを有する。フレア部２２は、中央部２４からガイド構造１４に向かって拡張し、中央部２４から外方に張り出している。
【００４６】
固定デバイス１０はさらに、ナット３０の形態で一端が雌ねじ部材に螺合された細長い雄ねじ駆動部材２８備える付勢構成２６を含んでいる。駆動部材２８は、クランプアセンブリ１２０の対向端部にも螺合される。駆動部材２８は、クランプアセンブリ１２０を回転させることによって回転することができる。
【００４７】
付勢構成２６は、ナット３０上に付勢部材３２をさらに含んでいる。付勢部材３２は、ナット３０がしっかりと収容される凹部３４を規定している。
【００４８】
締結部材２０の中央部２４は、付勢部材３２の中央部材３３Ｂ上に設置されている。したがって、ナットに対する駆動部材２８の回転は、駆動部材２８に沿ってナット３０を動かし、これにより、付勢部材３２も駆動部材２８に沿って動く。
【００４９】
付勢部材３２は、１組の上方に拡張する翼部材３３Ａと中央部材３３Ｂとを備えている（図７参照）。中央部材３３Ｂは、ねじ駆動部材２８が伸長する開口部３５を規定する。
【００５０】
翼部材３３Ａは、その両側の中央部材３３Ｂから拡張する。翼部材３３Ａは、締結部材２０のフレア部２２と並んでいる。
【００５１】
頂部１６は、下側１１０Ａの反対側である、その上側１１０Ｂに物品１１０を係合するための、側壁１７を越えて放射状に外側に拡張する１組のフランジ３６を含んでいる。したがって、物品１１０の上部部材１１６がフレア部２２の先端部２２Ａと頂部１６のフランジ３６との間で把持される。
【００５２】
固定デバイス１０は、プロング４０の形態の１組の表示部材を備えるインジケータ３８をさらに含んでいる。各プロング４０は、ガイド構造１４のそれぞれの対向する側の付勢部材３２の中央部材３３Ｂ上に設けられている。
【００５３】
プロング４０は、翼部材３３Ａ間に配置されている。各プロング４０は、中央部材３３Ｂから、頂部１６に向かって、空間１７Ａのうちのそれぞれ１つの上方に伸長する。
【００５４】
ラグ１９の形態の締付け部材は、ガイド構造１４から上方に拡張する。ラグ１９は、締結部材２０を締結位置に動かす際に使用者を助けるために設けられており、ユーザがクランプアセンブリ１２０を回転させ、それにより、駆動部材２８を回転させるときに、ユーザによってラグ１９が保持される。
【００５５】
図１および図２は、固定デバイス１０の締結構成１８が非締結位置にあり、インジケータ３８が非表示状態である吊り具部品１００を示している。
【００５６】
図１および図２において、締結部材２０は、本体１２内に納められている。結果として、先端部２２Ａは本体１２を越えて突出せず、図２では見えない。さらに、プロング４０は、１６のカバー部を破っておらず、図１および図２では見えない。
【００５７】
図３および４も、吊り具部品１００を示しているが、図３および図４では、締結構成１８は締結位置にあり、インジケータ３８は表示状態にある。図３および４において、締結部材は、本体１２を越えて突出し、図４では見える。
【００５８】
使用する際に、固定デバイス１０の本体１２が、穴１１２を通して収容されるように、吊り具部品１００が上部部材１１６中の穴１１２内におさえられる。フランジ３６が穴１１２の周囲のエッジ領域１１４における上部部材１１６の上側１１６Ｂを係合するまで、吊り具部品１００をおさえる。
【００５９】
ラグ１９は、クランプアセンブリ１２０を回転させるユーザによって把持される。図５から図８で示すように、駆動部材２８は、クランプアセンブリ１２０に固定されている。クランプアセンブリ１２０の回転は、駆動部材２８の対応する回転をもたらす。
【００６０】
（例えば、図２および図４で示すように、クランプアセンブリを見下ろすときに）クランプアセンブリ１２０を時計方向に回転させることによって、駆動部材２８がナット３０に締められ、それにより、図６および図８中に矢印Ａで示すように、駆動部材２８に沿って、ナット３０と付勢部材３２とが上方に動く。
【００６１】
この付勢部材３２の動きは、フレア部２２がガイド構造１４の傾斜側１５Ａに沿ってスライドするように、付勢部材３２が締結部材２０を上方に付勢させ、これにより、フレア部２２がさらに外側に広がるようにする。
【００６２】
駆動部材２８の回転は、先端部２２Ａが物品１１０の上部部材１１６の下側１１６Ａを係合する締結位置に、締結部材２０が達するまで継続され、これにより、先端部２２Ａとフランジ３６との間で物品１１０の上部部材１１６を把持する。
【００６３】
駆動部材２８を回転させて締結部材２０を締結位置に向けて付勢するときに、インジケータ３８が頂部１６に向けて付勢される。駆動部材２８の継続した回転は、付勢部材３２を駆動して、インジケータ３８を表示状態に付勢する。
【００６４】
表示状態では、頂部１６が２つの穿孔４２を規定するように、頂部１６のウェブ１７Ｂが両方のプロング４０によって破られる。このような方法で、頂部１６が破られるときに、図３、図４および図６で示すような穿孔４２を通してプロング４０が突き出る。これは、締結部材２０がその締結位置にあるということをユーザに示す。プロング４０は、例えば、赤のような明るい色であってもよく、これにより、インジケータ３８が表示状態に達したときに容易に見える。
【００６５】
図９から図１４Ｂは、固定デバイス１０の第２の実施形態を含む吊り具部品を示している。図９から図１４Ｂ中に示す固定デバイス１０の第２の実施形態は、図１から図８中に示す固定デバイス１０の第１の実施形態の多くの特徴を備えている。これらの特徴は、図９および図１０において、図１から図８の対応する特徴と同一の参照番号が与えられている。
【００６６】
図９から図１２中で示す固定デバイス１０の第２の実施形態は、固定デバイス１０を物品１１０上に保持するためのスナップフィット要素５０の形態の複数の保持要素を含む点で、図１から図８中で示す実施形態と異なる。スナップフィット要素５０は、図９および図１０中で示している。
【００６７】
各スナップフィット要素５０は、固定デバイス１０が物品１１０の穴１１２に収容されると、非変形状態から変形状態に変形する、変形可能部５２を備えている。各スナップフィット要素５２は、穴１１２の周囲の物品１１０のエッジ領域１１４を収容するための凹部５４を規定する。
【００６８】
固定デバイス１０が物品１１０の穴１１２に挿入されると、穴１１２の周囲の物品１１０のエッジ領域１１４がスナップフィット要素５０と係合し、スナップフィット要素５０を内向きに変形させ、これにより、スナップフィット要素５０を変形状態に圧縮する。
【００６９】
固定デバイス１０を穴１１２にさらに挿入すると、各スナップフィット要素５０の変形可能部５２は、エッジ領域１１４を通して、および、エッジ領域１１４を越えて動き、これにより、エッジ領域１１４を凹部５４に収容させる。このように収容されるときに、変形可能部５２は、その非変形状態にスナップバックし、これにより、固定デバイス１０を物品１１０上に保持する。
【００７０】
図１３は、穴１１２の周囲のエッジ領域１１４において、物品１１０の上部部材１１６を保持するスナップフィット要素５０のうちの１つを示している。
【００７１】
固定デバイス１０の第２の実施形態は、穴１１２のエッジ領域１１４を係合するために、本体１２上に複数の係合構造６０をさらに含んでいる。係合構造６０は、図９、図１０、図１４Ａ、および図１４Ｂ中に示している。
【００７２】
係合構造６０は、本体１２から突出し、これにより、穴１１２の周囲の物品１１０の前述のエッジ領域１１４に摩擦係合をもたらす。これは、複数の係合構造６０が穴１１２の周囲のエッジ領域１１４を摩擦係合するという第２の実施形態の利点を提供し、これにより、駆動部材２８を回転させて付勢部材３２を駆動するので、本体１２の回転を制限する。
【００７３】
係合構造６０がエッジ領域１１４を係合するときに、係合構造６０とのエッジ領域１１４の摩擦係合により、係合構造は圧縮される。
【００７４】
図１４Ａは、穴１１２の周囲のエッジ領域１１４を係合する前の、非圧縮状態の係合構造６０のうちの１つを示している。図１４Ｂは、係合構造６０が圧縮状態で示されている、エッジ領域１１４を係合する同じ係合構造６０を示している。
【００７５】
図１３、図１４Ａ、および図１４Ｂはまた、上部部材１１６の上側１１６Ｂを係合するフランジ３６を示している。
【００７６】
図１１および図１２は、物品に対する固定デバイス１０の第２の実施形態の固定を示している。締結部材２０は、Ｖ字形の断面を有している。
【００７７】
本体１２は、第１の実施形態よりも第２の実施形態でより浅くなっており、傾斜側１５Ａの角度が第１の実施形態よりも第２の実施形態でより小さくなっている。
ここに、出願当初の特許請求の範囲の記載事項を付記する。
［１］  物品に据え付け可能な固定デバイスにおいて、
前記固定デバイスは、
ガイド構造と、
前記物品を前記固定デバイスに締結するために前記ガイド構造に対して動くことができる締結構成と、
締結位置と非締結位置との間で前記ガイド構造に対して前記締結構成を付勢するように動作可能な付勢構成とを備え、
前記ガイド構造は、前記締結構成を前記締結位置にガイドするように構成されている、固定デバイス。
［２］  前記締結構成が前記締結位置に動かされるときに、前記付勢構成によって、非表示状態から表示状態に動くことができるインジケータをさらに含む、［１］に記載の固定デバイス。
［３］  本体を含み、前記本体は、前記ガイド構造を備える、［２］に記載の固定デバイス。
［４］  前記付勢構成は、駆動構成と付勢部材とを備え、前記駆動構成は、前記付勢部材を駆動するように動作可能である、［３］に記載の固定デバイス。
［５］  前記付勢部材は、前記駆動構成が前記付勢部材を駆動するときに、前記締結構成を前記非締結位置から前記締結位置に付勢するように、前記付勢部材が前記締結構成を係合する、［４］に記載の固定デバイス。
［６］  前記駆動構成は、駆動部材を備え、前記付勢部材は、前記駆動部材上に据え付けられている、［４］または［５］に記載の固定デバイス。
［７］  前記付勢部材は、前記駆動部材を収容し、その結果、前記締結構成は、前記付勢部材上に設置される、［６］に記載の固定デバイス。
［８］  前記駆動部材は、細長いねじ部材を備え、前記駆動構成は、前記駆動部材に螺合されているナットをさらに含み、前記ナットは、前記駆動部材によって駆動されるように構成されている、［６］または［７］に記載の固定デバイス。
［９］  前記本体は、前記インジケータが前記非表示状態から前記表示状態に動くことができる空間を規定する、［４］から［８］のうちのいずれか一項に記載の固定デバイス。
［１０］  前記固定デバイスは、前記空間にわたって拡張するウェブをさらに含む、［９］に記載の固定デバイス。
［１１］    前記インジケータが前記表示状態であるとき、前記インジケータは前記ウェブを通して伸長する、［１０］に記載の固定デバイス。
［１２］  前記インジケータは、前記空間に沿って動くことができる表示部材を備え、前記表示部材は、前記インジケータが前記表示状態であるときに、前記ウェブを通して伸長する、［１０］または［１１］に記載の固定デバイス。
［１３］  前記インジケータが前記表示状態に動かされるときに、前記表示部材が前記ウェブを破る、［１２］に記載の固定デバイス。
［１４］    前記表示部材は、前記付勢部材上に設けられる、［１２］または［１３］に記載の固定デバイス。
［１５］  前記インジケータは、前記表示部材を２つ備える、［１２］から［１４］のうちのいずれか一項に記載の固定デバイス。
［１６］  前記締結構成は、前記締結位置と前記非締結位置との間で動くことができる弾性締結部材を備え、締結部材が締結位置にあるときに、前記締結部材は、前記物品を係合するように構成されている、［３］から［１４］のうちのいずれか一項に記載の固定デバイス。
［１７］    前記本体は、前記締結部材と並べた少なくとも１つの外側に拡張する部材を含み、それにより、前記締結構成が前記締結位置にあるときに、前記物品は、前記締結部材と前記外側に拡張する部材または各外側に拡張する部材との間で把持されることができる、［１６］に記載の固定デバイス。
［１８］  前記外側に拡張する部材、または、各外側に拡張する部材は、放射状に外側に拡張するフランジを備える、［１７］に記載の固定デバイス。
［１９］  前記締結部材は、実質的にＶまたはＵ字形である、［１６］、［１７］、または［１８］に記載の固定デバイス。
［２０］  前記締結部材は、端部を有し、前記端部は、前記締結部材が前記締結位置に動かされるときに、前記ガイド構造によって外側に付勢される、［１６］〜［１９］のうちのいずれか一項に記載の固定デバイス。
［２１］  前記締結部材は、対向端部を有し、前記対向端部のそれぞれは、前記締結部材が前記締結位置に動かされるときに、前記ガイド構造によって対向する側の方向の外側に付勢される、［２０］に記載の固定デバイス。
［２２］  前記ガイド構造は、前記締結部材の前記端部を係合するための対向する傾斜部を有する、［２１］に記載の固定デバイス。
［２３］  前記締結部材が前記締結位置に動くときに、前記締結部材は、前記ガイド構造に沿ってスライドする、［１６］〜［２２］のうちのいずれか一項に記載の固定デバイス。
［２４］  前記本体上に、前記物品を保持するための少なくとも１つの保持要素を備える、［３］〜［２３］のうちのいずれか一項に記載の固定デバイス。
［２５］  前記本体上に、前記物品を保持するための複数の保持要素を備える、［２４］に記載の固定デバイス。
［２６］  前記保持要素または各保持要素は、前記物品のエッジ領域を収容するための凹部を規定する、［２４］または［２５］に記載の固定デバイス。
［２７］  前記保持要素または各保持要素は、前記物品の前記エッジ領域を収容することができるスナップフィット要素を備える、［２６］に記載の固定デバイス。
［２８］  穴の周りの前記エッジ領域により係合すると、前記保持要素が非変形状態から変形できるように、前記保持要素は変形可能であり、前記保持要素は、前記エッジ領域が前記凹部中に収容されたときに、前記非変形状態に戻る、［２６］または［２７］のうちのいずれか一項に記載の固定デバイス。
［２９］  前記物品の前記エッジ領域を係合するための少なくとも１つの係合構造をさらに含み、前記係合構造または各係合構造は、前記エッジ領域との摩擦係合をもたらすように前記本体から突出している、［３］〜［２８］のうちのいずれか一項に記載の固定デバイス。
［３０］  前記締結構成が前記締結位置に動く際に支援するための締付け部材を備え、前記締付け部材は、前記締結部材の前記端部と整列して前記ガイド構造上に配置される、［３］〜［２９］のうちのいずれか一項に記載の固定デバイス。
［３１］  ［１］〜［３０］のうちのいずれか一項に記載の固定デバイスと前記固定デバイスが据え付けられている据え付けデバイスとを備える、吊り具部品。
［３２］  前記据え付けデバイスは、クランプアセンブリを備える、［３１］に記載の吊り具部品。
［３３］  前記据え付けデバイスは、フックまたは把持構成を備える、［３１］に記載の吊り具部品。
［３４］  実質的に、添付図面の図１〜図８を参照してここで説明したような固定デバイス。
［３５］  実質的に、添付図面の図９および図１０を参照してここで説明したような固定デバイス。
［３６］  実質的に、添付図面の図１〜図８を参照してここで説明したような吊り具部品。
［３７］  実質的に、添付図面の図９および図１０を参照してここで説明したような吊り具部品。
【図１】
0006585160.tif 000002
【図２】
0006585160.tif 000003
【図３】
0006585160.tif 000004
【図４】
0006585160.tif 000005
【図５】
0006585160.tif 000006
【図６】
0006585160.tif 000007
【図７】
0006585160.tif 000008
【図８】
0006585160.tif 000009
【図９】
0006585160.tif 000010
【図１０】
0006585160.tif 000011
【図１１】
0006585160.tif 000012
【図１２】
0006585160.tif 000013
【図１３】
0006585160.tif 000014
【図１４Ａ】
0006585160.tif 000015
【図１４Ｂ】
0006585160.tif 000016